【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
第１の無線アクセス技術（ＲＡＴ）と第２のＲＡＴとにより基地局ネットワーク機器との通信を確立することと、
前記基地局ネットワーク機器との前記通信において前記第１のＲＡＴと前記第２のＲＡＴとの間の結合を識別することと、ここにおいて、前記結合を識別することは、前記基地局ネットワーク機器との前記通信が、少なくとも１つの同じベアラによってサポートされることを示し、
を備え、
ターゲットとのハンドオーバが、現在のレートで、前記第１のＲＡＴと前記第２のＲＡＴの両方により前記少なくとも１つの同じベアラによってサポートされるネットワークトラフィックを通信し続ける能力に影響を及ぼすことになると決定することと、
前記決定および前記第１のＲＡＴと前記第２のＲＡＴとの間の前記識別された結合に基づいて、潜在的に影響を及ぼされるＲＡＴのためのハンドオーバプロシージャを適応させることと、
によって特徴付けられる、方法。
【請求項２】
前記ハンドオーバは、前記影響を及ぼされるＲＡＴのために実行されない、請求項１に記載の方法。
【請求項３】
前記ハンドオーバプロシージャを前記適応させることは、前記ハンドオーバが、前記現在のレートで、前記第１のＲＡＴと前記第２のＲＡＴの両方により前記少なくとも１つの同じベアラによってサポートされるネットワークトラフィックを通信し続ける前記ＵＥの前記能力に影響を及ぼすことになるという前記決定に応答する、請求項１に記載の方法。
【請求項４】
前記第１のＲＡＴと前記第２のＲＡＴとの間の前記結合を識別することは、
前記第２のＲＡＴの少なくとも１つのキャリアと前記第１のＲＡＴの少なくとも１つのキャリアとのキャリアアグリゲーションを識別すること、または、
前記基地局ネットワーク機器が、前記第１のＲＡＴと前記第２のＲＡＴとに関連付けられたコロケート要素を備えると決定すること、
を備える、請求項１に記載の方法。
【請求項５】
前記第１のＲＡＴと前記第２のＲＡＴとの間の前記結合を識別することは、
前記ＲＡＴのうちの１つで前記基地局ネットワーク機器からユニキャストメッセージを受信すること、前記メッセージは前記第１のＲＡＴと前記第２のＲＡＴとの間の前記結合を示し、または、
前記ＲＡＴのうちの少なくとも１つで前記第１のＲＡＴと前記第２のＲＡＴとの間の前記結合を広告するブロードキャストメッセージを受信すること、
を備える、請求項１に記載の方法。
【請求項６】
前記ＲＡＴのうちの少なくとも１つのための前記ハンドオーバプロシージャを適応させることは、
前記第１のＲＡＴにおけるハンドオーバイベントの検出に応答して前記第２のＲＡＴにおけるハンドオーバイベントを開始するように前記ＵＥを構成すること、
を備える、請求項１に記載の方法。
【請求項７】
前記第２のＲＡＴにおける前記ハンドオーバイベントのターゲットが少なくとも１つの所定の基準を満たすという決定に応答して、前記第２のＲＡＴにおける前記ハンドオーバイベントを開始するように前記ＵＥを構成すること、ここにおいて、前記少なくとも１つの所定の基準は、前記第１のＲＡＴにおける前記ハンドオーバイベントのターゲットと前記第２のＲＡＴにおける前記ハンドオーバイベントの前記ターゲットとに関連付けられた基地局ネットワーク機器が、前記第１のＲＡＴと前記第２のＲＡＴとの前記結合をサポートするという決定を備える、
をさらに備える、請求項６に記載の方法。
【請求項８】
前記第１のＲＡＴにおける前記ハンドオーバイベントの前記ターゲットが前記第２のＲＡＴにおける前記ハンドオーバイベントの前記ターゲットとコロケートされているという決定に応答して前記第２のＲＡＴにおける前記ハンドオーバイベントを開始するように前記ＵＥを構成すること
をさらに備える、請求項７に記載の方法。
【請求項９】
前記ＲＡＴのうちの少なくとも１つのための前記再選択プロシージャまたは前記ハンドオーバプロシージャを適応させることは、
前記第１のＲＡＴまたは前記第２のＲＡＴで前記基地局ネットワーク機器から受信されたメッセージに基づいて前記第２のＲＡＴにおけるハンドオーバイベントを開始するように前記ＵＥを構成すること、
を備える、請求項１に記載の方法。
【請求項１０】
前記基地局ネットワーク機器から受信された前記メッセージは前記第１のＲＡＴにおけるハンドオーバイベントに応答する、請求項９に記載の方法。
【請求項１１】
前記ＲＡＴのうちの少なくとも１つのための前記再選択プロシージャまたは前記ハンドオーバプロシージャを適応させることは、
前記ＲＡＴのうちの前記少なくとも１つのためにデフォルトハンドオーバプロシージャを抑圧するように前記ＵＥを構成すること、
を備える、請求項１に記載の方法。
【請求項１２】
前記ＲＡＴのうちの少なくとも１つのための前記再選択プロシージャまたは前記ハンドオーバプロシージャを適応させることは、
チャネル測定値を取得すること、または前記基地局ネットワーク機器に測定報告を与えること、のうちの少なくとも１つを実行するように前記ＵＥをトリガするように構成された測定イベントのセットを変更すること、
を備える、請求項１に記載の方法。
【請求項１３】
ユーザ機器（ＵＥ）装置であって、
第１の無線アクセス技術（ＲＡＴ）と第２のＲＡＴとにより基地局ネットワーク機器との通信を確立するための手段と、
前記基地局ネットワーク機器との前記通信において前記第１のＲＡＴと前記第２のＲＡＴとの間の結合を識別するための手段と、
前記第１のＲＡＴと前記第２のＲＡＴとにより前記基地局ネットワーク機器と通信されるネットワークトラフィックが、少なくとも１つの同じベアラによってサポートされると決定するための手段と、
を備え、
ターゲットとのハンドオーバが、現在のレートで、前記第１のＲＡＴと前記第２のＲＡＴの両方により前記少なくとも１つの同じベアラによってサポートされるネットワークトラフィックを通信し続ける能力に影響を及ぼすことになると決定するための手段と、
前記決定するための手段によって成された前記決定、および前記第１のＲＡＴと前記第２のＲＡＴとの間の前記識別された結合に基づいて、潜在的に影響を及ぼされるＲＡＴのためのハンドオーバプロシージャを適応させるための手段と、
によって特徴付けられる、ＵＥ装置。
【請求項１４】
基地局ネットワーク機器におけるワイヤレス通信の方法であって、
第１の無線アクセス技術（ＲＡＴ）と第２のＲＡＴによりユーザ機器（ＵＥ）との通信を確立することと、
前記ＵＥとの前記通信において前記第１のＲＡＴと前記第２のＲＡＴとの間の結合を識別することと、ここにおいて、前記結合を識別することは、前記基地局との前記通信が、少なくとも１つの同じベアラによってサポートされることを示し、
を備え、
前記ＵＥのハンドオーバが、現在のレートで、前記第１のＲＡＴと前記第２のＲＡＴの両方により前記少なくとも１つの同じベアラによってサポートされるネットワークトラフィックを通信し続ける前記ＵＥの能力に影響を及ぼすことになると決定することと、
前記決定および前記第１のＲＡＴと前記第２のＲＡＴとの間の前記識別された結合に基づいて、潜在的に影響を及ぼされるＲＡＴのためのハンドオーバプロシージャを適応させることと、
によって特徴付けられる、方法。
【請求項１５】
基地局ネットワーク機器であって、
第１の無線アクセス技術（ＲＡＴ）と第２のＲＡＴによりユーザ機器（ＵＥ）との通信を確立するための手段と、
前記ＵＥとの前記通信において前記第１のＲＡＴと前記第２のＲＡＴとの間の結合を識別するための手段と、
前記第１のＲＡＴと前記第２のＲＡＴとにより前記基地局と通信されるネットワークトラフィックが、少なくとも１つの同じベアラによってサポートされると決定するための手段と、
を備え、
前記ＵＥのハンドオーバが、現在のレートで、前記第１のＲＡＴと前記第２のＲＡＴの両方により前記少なくとも１つの同じベアラによってサポートされるネットワークトラフィックを通信し続ける前記ＵＥの能力に影響を及ぼすことになると決定するための手段と、
前記決定するための手段によって成された前記決定、および前記第１のＲＡＴと前記第２のＲＡＴとの間の前記識別された結合に基づいて、潜在的に影響を及ぼされるＲＡＴのためのハンドオーバプロシージャを適応させるための手段と、
によって特徴付けられる、基地局ネットワーク機器。
【手続補正２】
【補正対象書類名】明細書
【補正対象項目名】０１２０
【補正方法】変更
【補正の内容】
【０１２０】
[0131]本開示についての以上の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
[Ｃ１]  ユーザ機器（ＵＥ）によるワイヤレス通信の方法であって、
第１の無線アクセス技術（ＲＡＴ）と第２のＲＡＴとにより前記ＵＥとネットワーク機器との間の通信を確立することと、
前記ＵＥと前記ネットワーク機器との間の前記通信において前記第１のＲＡＴと前記第２のＲＡＴとの間の結合を識別することと、
前記ＵＥが、前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させることと、
を備える方法。
[Ｃ２]  前記第１のＲＡＴと前記第２のＲＡＴとの間の前記結合を識別することは、
前記第１のＲＡＴと前記第２のＲＡＴとにより前記ＵＥと前記ネットワーク機器との間で通信されるネットワークトラフィックが、少なくとも１つの同じベアラによってサポートされると決定すること、
を備える、Ｃ１に記載の方法。
[Ｃ３]  前記ＵＥのハンドオーバが、現在のレートで前記第１のＲＡＴと前記第２のＲＡＴの両方により前記少なくとも１つの同じベアラによってサポートされるネットワークトラフィックを通信し続ける前記ＵＥの能力に影響を及ぼすことになると決定すること、
をさらに備え、
ここにおいて、前記ハンドオーバプロシージャを前記適応させることは、前記ハンドオーバが、前記現在のレートで前記第１のＲＡＴと前記第２のＲＡＴの両方により前記少なくとも１つの同じベアラによってサポートされるネットワークトラフィックを通信し続ける前記ＵＥの前記能力に影響を及ぼすことになるという前記決定に応答する、Ｃ２に記載の方法。
[Ｃ４]  前記第１のＲＡＴと前記第２のＲＡＴとの間の前記結合を識別することは、
前記第２のＲＡＴの少なくとも１つのキャリアと前記第１のＲＡＴの少なくとも１つのキャリアとのキャリアアグリゲーションを識別すること、または、
前記ネットワーク機器が、前記第１のＲＡＴと前記第２のＲＡＴとに関連付けられたコロケート要素を備えると決定すること、
を備える、Ｃ１に記載の方法。
[Ｃ５]  前記第１のＲＡＴと前記第２のＲＡＴとの間の前記結合を識別することは、
前記ＲＡＴのうちの１つで前記ネットワーク機器からユニキャストメッセージを受信すること、前記メッセージは前記第１のＲＡＴと前記第２のＲＡＴとの間の前記結合を示し、または、
前記ＲＡＴのうちの少なくとも１つで前記第１のＲＡＴと前記第２のＲＡＴとの間の前記結合を広告するブロードキャストメッセージを受信すること、
を備える、Ｃ１に記載の方法。
[Ｃ６]  前記ＲＡＴのうちの少なくとも１つのための前記ハンドオーバプロシージャを適応させることは、
前記第１のＲＡＴにおけるハンドオーバイベントの検出に応答して前記第２のＲＡＴにおけるハンドオーバイベントを開始するように前記ＵＥを構成すること、
を備える、Ｃ１に記載の方法。
[Ｃ７]  前記第２のＲＡＴにおける前記ハンドオーバイベントのターゲットが少なくとも１つの所定の基準を満たすという決定に応答して、前記第２のＲＡＴにおける前記ハンドオーバイベントを開始するように前記ＵＥを構成すること、ここにおいて、前記少なくとも１つの所定の基準は、前記第１のＲＡＴにおける前記ハンドオーバイベントのターゲットと前記第２のＲＡＴにおける前記ハンドオーバイベントの前記ターゲットとに関連付けられたネットワーク機器が前記第１のＲＡＴと前記第２のＲＡＴとの前記結合をサポートするという決定を備える、
をさらに備える、Ｃ６に記載の方法。
[Ｃ８]  前記第１のＲＡＴにおける前記ハンドオーバイベントの前記ターゲットが前記第２のＲＡＴにおける前記ハンドオーバイベントの前記ターゲットとコロケートされているという決定に応答して前記第２のＲＡＴにおける前記ハンドオーバイベントを開始するように前記ＵＥを構成すること
をさらに備える、Ｃ７に記載の方法。
[Ｃ９]  前記ＲＡＴのうちの少なくとも１つのための前記再選択プロシージャまたは前記ハンドオーバプロシージャを適応させることは、
前記第１のＲＡＴまたは前記第２のＲＡＴで前記ネットワーク機器から受信されたメッセージに基づいて前記第２のＲＡＴにおけるハンドオーバイベントを開始するように前記ＵＥを構成すること、
を備える、Ｃ１に記載の方法。
[Ｃ１０]  前記ネットワーク機器から受信された前記メッセージは前記第１のＲＡＴにおけるハンドオーバイベントに応答する、Ｃ９に記載の方法。
[Ｃ１１]  前記ＲＡＴのうちの少なくとも１つのための前記再選択プロシージャまたは前記ハンドオーバプロシージャを適応させることは、
前記ＲＡＴのうちの前記少なくとも１つのためにデフォルトハンドオーバプロシージャを抑圧するように前記ＵＥを構成すること、
を備える、Ｃ１に記載の方法。
[Ｃ１２]  前記ＲＡＴのうちの少なくとも１つのための前記再選択プロシージャまたは前記ハンドオーバプロシージャを適応させることは、
チャネル測定値を取得すること、または前記ネットワーク機器に測定報告を与えること、のうちの少なくとも１つを実行するように前記ＵＥをトリガするように構成された測定イベントのセットを変更すること、
を備える、Ｃ１に記載の方法。
[Ｃ１３]  前記ＲＡＴのうちの１つに関連付けられたポートのセットでワイヤレストラフィックを送信および受信すること、
をさらに備え、
ここにおいて、前記再選択プロシージャまたはハンドオーバプロシージャはポートの前記セットのサブセットのために適応される、Ｃ１に記載の方法。
[Ｃ１４]  ユーザ機器（ＵＥ）装置であって、
第１の無線アクセス技術（ＲＡＴ）と第２のＲＡＴとにより前記ＵＥ装置とネットワーク機器との間の通信を確立するための手段と、
前記ＵＥ装置と前記ネットワーク機器との間の前記通信において前記第１のＲＡＴと前記第２のＲＡＴとの間の結合を識別するための手段と、
前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させるための手段と、
を備えるＵＥ装置。
[Ｃ１５]  前記第１のＲＡＴと前記第２のＲＡＴとによる前記ＵＥ装置と前記ネットワーク機器との間で通信されるネットワークトラフィックが、少なくとも１つの同じベアラによってサポートされると決定するための手段、
をさらに備える、Ｃ１４に記載のＵＥ装置。
[Ｃ１６]  前記ＵＥ装置のハンドオーバが、現在のレートで前記第１のＲＡＴと前記第２のＲＡＴの両方により前記少なくとも１つの同じベアラによってサポートされるネットワークトラフィックを通信し続ける前記ＵＥ装置の能力に影響を及ぼすことになると決定するための手段、
をさらに備え、
ここにおいて、前記ハンドオーバプロシージャを適応させることは、前記ハンドオーバが、前記現在のレートで前記第１のＲＡＴと前記第２のＲＡＴの両方により前記少なくとも１つの同じベアラによってサポートされるネットワークトラフィックを通信し続ける前記ＵＥ装置の前記能力に影響を及ぼすことになるという前記決定に応答する、Ｃ１５に記載のＵＥ装置。
[Ｃ１７]  ネットワーク機器によるワイヤレス通信の方法であって、
第１の無線アクセス技術（ＲＡＴ）と第２のＲＡＴとで前記ネットワーク機器とユーザ機器（ＵＥ）との間の通信を確立することと、
前記ネットワーク機器と前記ＵＥとの間の前記通信において前記第１のＲＡＴと前記第２のＲＡＴとの間の結合を識別することと、
前記ネットワーク機器が、前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させることと、
を備える方法。
[Ｃ１８]  前記第１のＲＡＴと前記第２のＲＡＴとの間の前記結合を識別することは、
前記第１のＲＡＴと前記第２のＲＡＴとにより前記ネットワーク機器と前記ＵＥとの間で通信されるネットワークトラフィックが、少なくとも１つの同じベアラによってサポートされると決定すること、
を備える、Ｃ１７に記載の方法。
[Ｃ１９]  前記ＵＥのハンドオーバが、現在のレートで前記第１のＲＡＴと前記第２のＲＡＴの両方により前記少なくとも１つの同じベアラによってサポートされるネットワークトラフィックを通信し続ける前記ＵＥの能力に影響を及ぼすことになると決定すること、
をさらに備え、
ここにおいて、前記ハンドオーバプロシージャを前記適応させることは、前記ハンドオーバが、前記現在のレートで前記第１のＲＡＴと前記第２のＲＡＴの両方により前記少なくとも１つの同じベアラによってサポートされるネットワークトラフィックを通信し続ける前記ＵＥの前記能力に影響を及ぼすことになるという前記決定に応答する、Ｃ１８に記載の方法。
[Ｃ２０]  前記第１のＲＡＴと前記第２のＲＡＴとの間の前記結合を識別することは、
前記第２のＲＡＴの少なくとも１つのキャリアと前記第１のＲＡＴの少なくとも１つのキャリアとのキャリアアグリゲーションを識別すること、または、
前記ネットワーク機器が、前記第１のＲＡＴと前記第２のＲＡＴとに関連付けられたコロケート要素を備えると決定すること、
を備える、Ｃ１７に記載の方法。
[Ｃ２１]  前記ＲＡＴのうちの少なくとも１つのための前記ハンドオーバプロシージャを適応させることは、
前記第１のＲＡＴにおける前記ＵＥのハンドオーバイベントを検出することと、
前記第１のＲＡＴにおける前記ハンドオーバイベントに応答して、前記ＵＥにメッセージを送信することと、前記メッセージは、前記第２のＲＡＴにおけるハンドオーバイベントに関連付けられたターゲットを識別する、
を備える、Ｃ１７に記載の方法。
[Ｃ２２]  前記第１のＲＡＴにおける前記ハンドオーバイベントのターゲットと前記第２のＲＡＴにおける前記ハンドオーバイベントの前記ターゲットとが前記第１のＲＡＴと前記第２のＲＡＴとの間の前記結合をサポートするという決定にさらに応答して前記ＵＥに前記メッセージを送信すること、
をさらに備える、Ｃ２１に記載の方法。
[Ｃ２３]  前記再選択プロシージャまたは前記ハンドオーバプロシージャを前記適応させることは、
チャネル測定値を取得すること、または前記ネットワーク機器に測定報告を与えること、のうちの少なくとも１つを実行するように前記ＵＥをトリガするように構成された測定イベントのセットを変更するために前記ＵＥと通信すること、
を備える、Ｃ１７に記載の方法。
[Ｃ２４]  測定イベントの前記セットを変更することは、
チャネル測定を実行するか、または前記ネットワーク機器に測定報告を与えるように前記ＵＥをトリガする信号強度しきい値の少なくとも１つの新しい値を構成すること、
を備える、Ｃ２３に記載の方法。
[Ｃ２５]  前記再選択プロシージャまたは前記ハンドオーバプロシージャを前記適応させることは、前記ＲＡＴのうちの少なくとも１つの測定されたネットワーク状態にさらに基づく、Ｃ１７に記載の方法。
[Ｃ２６]  前記再選択プロシージャまたは前記ハンドオーバプロシージャを前記適応させることは、前記ネットワーク機器によって記憶されるポリシーまたは前記ＵＥのサービスクラスのうちの少なくとも１つにさらに基づく、Ｃ１７に記載の方法。
[Ｃ２７]  前記ＲＡＴのうちの少なくとも１つはワイヤレスワイドエリアネットワーク（ＷＷＡＮ）ＲＡＴを備え、前記ＲＡＴのうちの他方はワイヤレスローカルエリアネットワーク（ＷＬＡＮ）ＲＡＴを備える、Ｃ１７に記載の方法。
[Ｃ２８]  ネットワーク機器装置であって、
第１の無線アクセス技術（ＲＡＴ）と第２のＲＡＴとで前記ネットワーク機器装置とユーザ機器（ＵＥ）との間の通信を確立するための手段と、
前記ネットワーク機器装置と前記ＵＥとの間の前記通信において前記第１のＲＡＴと前記第２のＲＡＴとの間の結合を識別するための手段と、
前記第１のＲＡＴと前記第２のＲＡＴとの間の前記識別された結合に基づいて前記ＲＡＴのうちの少なくとも１つのための再選択プロシージャまたはハンドオーバプロシージャのうちの少なくとも１つを適応させるための手段と、
を備える、ネットワーク機器装置。
[Ｃ２９]  前記第１のＲＡＴと前記第２のＲＡＴとで前記ネットワーク機器と前記ＵＥとの間で通信されるネットワークトラフィックが、少なくとも１つの同じベアラによってサポートされると決定するための手段、
をさらに備える、Ｃ２８に記載のネットワーク機器装置。
[Ｃ３０]  前記第１のＲＡＴにおける前記ＵＥのハンドオーバイベントを検出するための手段と、
前記第１のＲＡＴにおける前記ハンドオーバイベントに応答して、前記ＵＥにメッセージを送信するための手段と、前記メッセージは前記第２のＲＡＴにおける前記ＵＥのハンドオーバイベントをトリガする、
をさらに備える、Ｃ２８に記載のネットワーク機器装置。